(57)【要約】 【課題】筆記体の筆記先端部が突出した状態でポケット等の衣類にクリップ部材を挟持することができず、仮にクリップ部材が破損した場合でも、筆記先端部の出没作動が可能なクリップ部材を有するノック式筆記具を提供する。【解決手段】後端側に延出した押圧部を押圧することにより、先端側の係止部を軸筒から離間可能に配設したクリップ部材を付設してなる軸筒内に、筆記体をコイルスプリングにより軸筒後端方向に付勢して摺動自在に配置し、前記軸筒の後端部から突出したノック体を押圧作動し、待機位置から軸筒先端側に移動することにより、前記筆記体の筆記先端部を軸筒先端開口部から突出可能としたノック式筆記具において、前記ノック体の外壁面に、前記ノック体が待機位置の時にはクリップ部材の後端より軸筒後端側に位置し、前記ノック体の軸筒先端側への移動によって前記クリップ部材の押圧部の底壁に対面する位置に、凸部を形成する。【選択図】          図１
2005169820.tif 000002
【特許請求の範囲】
【請求項１】
後端側に延出した押圧部を押圧することにより、先端側の係止部を軸筒から離間可能に配設したクリップ部材を付設してなる軸筒内に、筆記体をコイルスプリングにより軸筒後端方向に付勢して摺動自在に配置し、前記軸筒の後端部から突出したノック体を押圧作動し、待機位置から軸筒先端側に移動することにより、前記筆記体の筆記先端部を軸筒先端開口部から突出可能としたノック式筆記具において、前記ノック体の外壁面に、前記ノック体が待機位置の時にはクリップ部材の後端より軸筒後端側に位置し、前記ノック体の軸筒先端側への移動によって前記クリップ部材の押圧部の底壁に対面する位置に、凸部を形成したことを特徴とするクリップ部材を有するノック式筆記具。
【請求項２】
前記ノック体が、軸心方向に移動可能で回転不能に配設したことを特徴とする請求項１に記載のクリップ部材を有するノック式筆記具。
【発明の詳細な説明】
【技術分野】
【０００１】
本発明は、クリップ部材を有するノック式筆記具に関し、さらに詳しくは、後端側に延出した押圧部を押圧することにより、先端側の係止部を軸筒から離間可能に配設したクリップ部材を有するノック式筆記具に関する。
【背景技術】
【０００２】
従来から、クリップ部材を有するノック式筆記具は、よく知られている。こうしたクリップ部材を有するノック式筆記具において、実開昭６３−５１７８８号公報「筆記クランプ用具」や特開２００１−１４６０９４号公報「筆記具のクリップ取付装置」に開示されているように、クリップ部材の後端側に延出した押圧部を押圧することにより、先端側の係止部を軸筒から離間可能に配設した構造はよく知られている。
【０００３】
ところで、筆記体の筆記先端部が突出した状態でポケット等の布地に挟着した時、特に筆記体が、水性インキや剪断減粘性を付与したインキ、低粘度の油性インキを収容したボールペンレフィルである場合には、前記インキがポケットの布地に染み込み汚してしまうという問題があり、ポケット等に装着した場合には筆記先端部が没入する、いわゆるセーフティ機構を設けることが切望されている。
【０００４】
セーフティ機構を有するノック式筆記具としては、実開平４−４５７８９号公報「水性ボールペン等ノック式筆記具」や特開平１０−２７８４８２号公報「ノック式筆記具」のように、クリップ部材の玉部に係止することで、筆記体の筆記先端部の突出状態を維持し、クリップ部材の玉部を止め部に係止が解除されると、筆記体の筆記先端部が没入する構造が開示されている。
【特許文献１】「 実開昭６３−５１７８８号公報」
【特許文献２】「 特開２００１−１４６０９４号公報」
【特許文献３】「 実開平４−４５７８９号公報」
【特許文献４】「 特開平１０−２７８４８２号公報」
【発明の開示】
【発明が解決しようとする課題】
【０００５】
しかしながら、クリップ部材の玉部に係止する構造は、落下等、何らかの理由によりクリップ部材が破損した場合に、筆記先端部の突出状態を維持できないため、新しい軸筒に交換しない限り筆記具として使用することができなかった。
【０００６】
本発明の目的は、上述した従来の問題点に鑑み、筆記体の筆記先端部が突出した状態ではポケット等の衣類にクリップ部材を挟持することができないようにして、仮にクリップ部材が破損した場合でも、筆記先端部の出没作動が可能なクリップ部材を有するノック式筆記具を提供することである。
【課題を解決するための手段】
【０００７】
本発明は、後端側に延出した押圧部を押圧することにより、先端側の係止部を軸筒から離間可能に配設したクリップ部材を付設してなる軸筒内に、筆記体をコイルスプリングにより軸筒後端方向に付勢して摺動自在に配置し、前記軸筒の後端部から突出したノック体を押圧作動し、待機位置から軸筒先端側に移動することにより、前記筆記体の筆記先端部を軸筒先端開口部から突出可能としたノック式筆記具において、前記ノック体の外壁面に、前記ノック体が待機位置の時にはクリップ部材の後端より軸筒後端側に位置し、前記ノック体の軸筒先端側への移動によって前記クリップ部材の押圧部の底壁に対面する位置に、凸部を形成する。
【０００８】
前記ノック体が、軸心方向に移動可能で回転不能に配設したことを特徴とする。
【発明の効果】
【０００９】
本発明のノック式筆記具は、筆記体の筆記先端部が突出した状態では、クリップ部材の押圧部の底壁に対向する位置に凸部があるため、クリップ部材の係止部を軸筒から離間することができず、ポケット等の衣類をクリップ部材に挟持することができない。また、仮にクリップ部材が破損した場合でも、筆記先端部の出没作動とクリップ部材は連動していないので、使用が可能なノック式筆記具を提供することができた。
【発明を実施するための最良の形態】
【００１０】
ノック式筆記具において、筆記体の筆記先端部が突出した状態でポケット等の衣類にクリップ部材を挟持することができず、仮にクリップ部材が破損した場合でも、筆記先端部の出没作動を可能するという目的を、最小の部品点数及び簡単な構造で実現した。
【実施例１】
【００１１】
図１から図４に示す クリップ部材を有するノック式筆記具１は、前軸２と後軸３を螺合した軸筒内に筆記体Ｈ（ボールペンレフィル）がコイルスプリング８によって後軸後端３ａ方向に付勢された状態で収納されている。
【００１２】
筆記体Ｈの構造は、従来から知られているもので、インキ収容管６内に筆記具用インキ（図示せず）を直に収容し、インキ収容管６の先端部には、ボールを回転自在に抱持した筆記先端部７（ボールペンチップ）を装着してある。
【００１３】
また、後軸３にはクリップ部材４を付設してある。クリップ部材４は、クリップ部材４と後軸３間にバネ材５を配設することにより、クリップ部材４の軸筒後端側に延出した押圧部４ｃを押圧することにより、軸筒先端側の係止部４ｂを、クリップ部材４と後軸３の連結部を支点４ａとし、軸筒から離間可能に配設してある。
【００１４】
筆記先端部７を前軸２の先端開口部２ａから出没させる機構は、従来から知られているもので、簡単に説明すると、後軸３の内壁面に回転カム９を前後に摺動案内し回転させるためのカム溝（図示せず）を形成し、このカム溝に、回転カム９に形成した突起を係合して配設してある。回転カム９の後端には、前記回転カム９を摺動し回転を付与するためのカム部を先端に有したノック体１０を、ノック体１０に形成した突起１０ｂをカム溝（図示せず）に係合し、ノック体１０の後端部が後軸後端３ａより外方に突出した状態に配設した構造である。
【００１５】
ノック体１０は、ノック体１０に形成した突起１０ｂをカム溝（図示せず）に係合させることで、軸心方向にのみ移動可能に配設することにより、凸部１０ａを形成する部分も特定されるので好ましい。また、ノック体１０の外壁には径方向に延びる凸部１０ａを形成してある。この凸部１０ａは、ノック体１０が待機位置の時（図１に示す状態）では、クリップ部材４の後端４ｅより後軸後端３ａ側に位置し、ノック体１０を押圧（図１の矢印Ｐ方向）して前軸２の先端開口部２ａ側へ移動した時（図２に示す状態）に、クリップ部材４の押圧部４ｃの底壁４ｄと対面する位置に形成する。
【００１６】
図１、図３に示す状態（筆記体Ｈの筆記先端部７が没入した状態）では、クリップ部材４の後端４ｅより後軸後端３ａ側にノック体１０に形成した凸部１０ａが位置するので、クリップ部材４の押圧部４ｃを押圧（図３矢印Ｍ方向）することができ、係止部４ｂを後軸３から離間可能なため、クリップ部材４によって衣服などの挟持が可能となる。また、図２、図４に示す状態（筆記体Ｈの筆記先端部７が突出した状態）では、クリップ部材４の押圧部４ｃの底壁４ｄと対面する位置に凸部１０ａがあるため、押圧部４ｃを押圧することができず、係止部４ｂを後軸３から離間できないため、クリップ部材４によって衣服などの挟持が不可能となる。
【００１７】
本実施例では、ノック体に凸部を一体に形成してあるが、ノック体の外壁面に、ノック体が待機位置の時にはクリップ部材の後端より軸筒後端側に位置し、ノック体の軸筒先端側への移動によって前記クリップ部材の押圧部の底壁に対面する位置に、凸部を形成してあれば、別部材を付設してあってよい。また凸部の形状も特に限定されるものでなく、クリップ部材の後端部を覆うように略コ字状等、筆記体の筆記先端部が突出した状態で、クリップ部材の押圧部の底壁に対向する位置に凸部が位置形状であればよい。
【産業上の利用可能性】
【００１８】
低粘度油性インキ、剪断減粘性インキ、水性インキ等、インキの種類に限定されることなく実施でき、筆記先端部の形状や材質に特定されることなく実施可能である。
【図面の簡単な説明】
【００１９】
【図１】本発明におけるクリップ部材を有するノック式筆記具を示す縦断面図である。
【図２】図１における、筆記先端部を突出状態とした縦断面図である。
【図３】図１における、一部省略した要部拡大縦断面図である。
【図４】図２における、一部省略した要部拡大縦断面図である。
【符号の説明】
【００２０】
１  ノック式筆記具
２  前軸
２ａ  先端開口部
３  後軸
３ａ  後軸後端部
３ｂ  溝部
４  クリップ部材
４ａ  支点
４ｃ  押圧部
４ｄ  底壁
４ｅ  後端
５  バネ部材
６  インキ収容管
７  筆記先端部
８  コイルスプリング
９  回転カム
１０  ノック体
１０ａ  凸部
１０ｂ  突起
Ｈ  筆記体
【図１】
2005169820.tif 000003
【図２】
2005169820.tif 000004
【図３】
2005169820.tif 000005
【図４】
2005169820.tif 000006